(57)【要約】  【課題】  パソコンを移動させながら作業をする場合に、固定電源への接続作業をなくし、作業効率を高めることを課題とする。  【解決手段】  所定のパソコンを乗せる台を構成する本体と、前記本体の下面に設けられる前記本体を移動可能に支持する複数のキャスターと、前記本体内部に設けられる、前記パソコンに電力を供給するバッテリー電源とにより、パソコン用ワゴンを構成することで、キャスターで移動する本体に重量の重い大容量のバッテリーを使用して、長時間のパソコンの駆動を可能としてパソコンを外部電源を接続する手間をなくす。【選択図】  図１
0003114645.tif 000002
【実用新案登録請求の範囲】
【請求項１】
所定のパソコンを乗せる台を構成する本体と、
前記本体の下面に設けられる前記本体を移動可能に支持する複数のキャスターと、
前記本体内部に設けられる、前記パソコンに電力を供給するバッテリー電源と
を有するパソコン用ワゴン。
【請求項２】
前記バッテリー電源には、外部電源により充電するための充電器が内蔵される請求項１に記載のパソコン用ワゴン。
【請求項３】
前記本体は、中空であって側面が開放されており、開放された側面に隣接する対向する内壁のそれぞれに対になるように水平方向に伸びるレールが形成され、
前記バッテリー電源は、前記一対のレールに保持されるトレー上に載置されるものである請求項１又は２に記載のパソコン用ワゴン。
【考案の詳細な説明】
【技術分野】
【０００１】
本考案は、移動しながらパソコンを使用するために用いるワゴンに関する。
【背景技術】
【０００２】
近年、病院での診察においてパソコンが使用されるようになり、巡回診察においてもノートパソコンを持ち運ぶ必要がある場合も多い。このような場合、ワゴンにパソコンを載せて各部屋へ移動することが一般的である。
【考案の開示】
【考案が解決しようとする課題】
【０００３】
このようにワゴンにパソコンを載せて運ぶ場合、デスクトップ型のパソコンの場合は、電源が必要なので、各部屋のコンセントからパソコンへ電源を供給する必要がある。また、ノートパソコンの場合は、３時間程度は内蔵電源により駆動するが、それ以上の長時間の駆動を必要とする場合や内蔵電源の充電量が減っている場合などには、やはり、各部屋のコンセントからパソコンへ電源を供給する必要がある。しかし、各部屋へ移動するごとにコンセントを探して電源を接続する作業はわずらわしく、作業効率の低下を招くことになる。このような状況は、他の業種においても、パソコンを移動させながらデータを閲覧したり、データ入力をする等、パソコンを移動させながら種々の作業をする場合に生じると考えられる。
本考案は、かかる問題に鑑みて、パソコンを移動させながら作業をする場合に、固定電源への接続作業をなくし、作業効率を高めることを課題とする。
【課題を解決するための手段】
【０００４】
上記課題を解決するために、本考案は次のような構成を有する。
請求項１に記載の考案は、所定のパソコンを乗せる台を構成する本体と、前記本体の下面に設けられる前記本体を移動可能に支持する複数のキャスターと、前記本体内部に設けられる、前記パソコンに電力を供給するバッテリー電源とを有するパソコン用ワゴンである。
請求項２に記載の考案は、前記パソコン用ワゴンにおいて、前記バッテリー電源には、外部電源により充電するための充電器が内蔵されるものである。
請求項３に記載の考案は、前記パソコン用ワゴンにおいて、前記本体は、中空であって側面が開放されており、開放された側面に隣接する対向する内壁のそれぞれに対になるように水平方向に伸びるレールが形成され、前記バッテリー電源は、前記一対のレールに保持されるトレー上に載置されるものである。
【考案の効果】
【０００５】
請求項１に記載の考案は、本体にパソコンに電力を供給するためのバッテリー電源が内蔵されており、本体はキャスターで移動するので、重量の重い大容量のバッテリーを使用することができる。これにより、長時間のパソコンの駆動が可能となり、パソコンを外部電源を接続する手間をなくして作業効率を高めることができる。
請求項２に記載の考案は、前記バッテリー電源には、外部電源により充電するための充電器が内蔵されるので、充電器を探す手間なく必要に応じて外部電源によりバッテリー電源へ充電をすることができる。
請求項３に記載の考案は、トレーに載せたバッテリー電源をレールに沿って簡単に取り出すことができ、必要に応じてバッテリー電源を交換したり、本体と離れた場所でバッテリー電源に充電をすることができる。
【考案を実施するための最良の形態】
【０００６】
以下、本考案の実施形態について、図を参照しながら説明する。
図１に本実施形態に係るパソコン用ワゴンＸの斜視図を示す。パソコン用ワゴンＸは、本体１０、バッテリ電源２０とから構成される。
本体１０は、対向する２側面が開放した箱状体であり、ステンレスにより形成される。本体１０の上面は所定のノートパソコンを載置するパソコン載置台１１を構成するものであり、各縁部近傍に低い柵１１ａが固定されている。また、本体１０の下面には４つのキャスター１５が取り付けられている。本体内部の両側面には水平方向に複数のレール１２が固定されている。レール１２は対向する２本を一対とするものであり、この一対のレール１２、１２には、トレー１３が引き出して取り外せる状態に保持される。さらに、本体１０の一方の外側側面の上方近傍には本体を操作するための取っ手１４が固定されている。
【０００７】
バッテリー電源２０は、前記トレー１３の一つに載置されている。図２にトレー１３に載置された状態のバッテリー電源２０の斜視図を示す。バッテリー電源２０は、ケーシング２４に機器が内蔵されている。ケーシング２４は下方が開放された箱状の上蓋２４ａと、上蓋２４ａが係合する底面を構成する底板２４ｂとから構成される。ケーシング２４には、鍵により操作する錠前状の電源スイッチ２４ａａが設けられている。図３に上蓋２４ａを取り外した状態のバッテリー電源２０の平面図を示す。図に示すようにケーシング２４の底板２４ｂの内部には、１２Ｖ、５０Ａｈの鉛蓄電池よりなるバッテリー２１、バッテリー２１にＡＣ１００Ｖ電源より充電するための充電器２２、バッテリー２１の直流電流をＡＣ１００Ｖに変換し、コンセント端子へ出力するＡＣ変換器２３が固定されている。
【０００８】
次に、以上のような構成を有するパソコン用ワゴンＸの使用方法について説明する。当初、バッテリー２１は十分に充電されているものとする。使用者は、ノートパソコンをパソコン載置台１１上に載せるとともに、ノートパソコンをＡＣアダプターを介してバッテリー電源２０のＡＣ変換器２３に存するコンセントと接続し、鍵を用いて電源スイッチ２４ａａを入れる。これにより、ノートパソコンにＡＣ１００Ｖの電力が供給される。この状態で、パソコンを約１５時間駆動させることができる。パソコンの設置が完了したら、パソコン用ワゴンＸを移動させて、パソコンを用いた作業を適宜行う。一日の作業が終了した後は、電源スイッチ２４ａａを切り、バッテリー電源２０の充電器２２を固定電源のコンセントに接続し、バッテリー２１に充電を行う。この際、バッテリー電源２０はパソコン用ワゴンＸに載置した状態でもよく、トレー１３ごとパソコン用ワゴンＸから取り外した状態でもよい。このように一日の使用後に充電を行うことで、常にパソコン用ワゴンＸに載置したパソコンに電源を供給することができる。なお、昼夜連続して使用するような場合には、バッテリー電源２０の予備を用意しておき、一方を使用している間に他方を充電するようにし、適宜交換するようにすれば常時使用することも可能である。
【図面の簡単な説明】
【０００９】
【図１】実施形態に係るパソコン用ワゴンの斜視図である。
【図２】トレーに載置した状態のバッテリー電源の斜視図である。
【図３】上蓋を取り外した状態のバッテリー電源の平面図である。
【符号の説明】
【００１０】
Ｘ    パソコン用ワゴン
１０  本体
１１  パソコン載置台
１２  レール
１３  トレー
１５  キャスター
２０  バッテリー電源
２１  バッテリー
２２  充電器
２３  ＡＣ変換器
【図１】
0003114645.tif 000003
【図２】
0003114645.tif 000004
【図３】
0003114645.tif 000005